【事件の表示】
　特願２０１１−２３１６１０「電機」拒絶査定不服審判事件〔平成２４年　５月１７日出願公開、特開２０１２−　９４８６８〕について、次のとおり審決する。
【結　論】
　本件審判の請求は、成り立たない。
【理　由】
１．手続の経緯 
　本願は、平成２３年１０月２１日（パリ条約に基づく優先権主張　平成２２年１０月２２日　米国（ＵＳ））の出願であって、平成２７年７月３１日付け拒絶理由通知に対する応答時、平成２８年１月５日付けで手続補正がなされたが、同年６月３０日付けで拒絶査定がなされ、これに対して、同年１１月１１日付けで拒絶査定不服審判の請求及び手続補正がなされたものである。
 　 
２．平成２８年１１月１１日付けの手続補正についての補正却下の決定 
［補正却下の決定の結論］ 
　平成２８年１１月１１日付けの手続補正を却下する。 
［理　由］ 
（１）補正後の本願発明 
　平成２８年１１月１１日付けの手続補正（以下、「本件補正」という。）により、特許請求の範囲の請求項５については、 
「【請求項５】
　地表浅層部または湖、池、河川からなる浅層の温度保持体との間に、１次側流体流路及び２次側流体流路を備える熱交換装置を設置し、生成する熱エネルギーを熱交換装置の１次側流体を経て伝送し、且つ熱交換装置の２次側流体が浅層の温度保持体の中に設置される均熱器へ流れ、浅層の温度保持体に対して熱エネルギーを放出することにより、浅層の温度保持体と交換流体を通して放熱する電機であって、
　熱交換装置は回転電機のボディシェルと分離して設置され、当該電機が生成する熱エネルギーは、熱交換装置の２次側流体を通して、浅層の温度保持体に設置される均熱器へ流れ、浅層の温度保持体に対して放熱し、
　回転電機（７０１）、熱交換器（７０３）、放熱器（７０９）、および、前記回転電機（７０１）の外部に設けられている流体ポンプ（７０６、７０７）を備え、
　回転電機（７０１）は磁界巻線、鉄芯、ロータ及びマシンシェルの回転電機を備え、モータまたは発電機または電磁カップリング装置によって構成される装置を含み、
　熱交換器（７０３）は１次側流体流路（７０２）及び２次側流体流路（７０４）を備え、かつ互いに熱エネルギーを伝送し、その中の前記１次側流体流路（７０２）は、管路及び流体ポンプ（７０７）の圧送を通して、前記回転電機（７０１）の内部の気流と一緒の循環気流を構成し、前記２次側流体流路（７０４）は、管路（７０５）及び流体ポンプ（７０６）を通して、前記自然蓄熱体（１０８）の中に設置する放熱器（７０９）を流れる冷却流体（７１１）をポンピングし、循環流体を構成することによって、熱エネルギーを伝送し、
　前記放熱器（７０９）は熱伝導性材料によって構成され、流れる前記冷却流体（７１１）を放熱させる容器構造であり、土地または池、湖、河川によって構成される前記自然蓄熱体（１０８）に設置され、　前記流体ポンプ（７０６、７０７）は機械力または電気モータによって駆動される流体ポンプで構成されることを特徴とする電機。」 
とあったものが、
「【請求項５】
　地表浅層部または湖、池、河川からなる浅層の温度保持体との間に、１次側流体流路及び２次側流体流路を備える熱交換装置を設置し、生成する熱エネルギーを熱交換装置の１次側流体を経て伝送し、且つ熱交換装置の２次側流体が浅層の温度保持体の中に設置される均熱器へ流れ、浅層の温度保持体に対して熱エネルギーを放出することにより、浅層の温度保持体と交換流体を通して放熱する電機であって、
　熱交換装置は回転電機のボディシェルと分離して設置され、当該電機が生成する熱エネルギーは、熱交換装置の２次側流体を通して、浅層の温度保持体に設置される均熱器へ流れ、浅層の温度保持体に対して放熱し、
　回転電機（７０１）、熱交換器（７０３）、放熱器（７０９）、および、前記回転電機（７０１）の外部に設けられている流体ポンプ（７０６、７０７）を備え、
　回転電機（７０１）は磁界巻線、鉄芯、ロータ及びマシンシェルの回転電機を備え、モータまたは発電機または電磁カップリング装置によって構成される装置を含み、
　熱交換器（７０３）は１次側流体流路（７０２）及び２次側流体流路（７０４）を備え、かつ互いに熱エネルギーを伝送し、その中の前記１次側流体流路（７０２）は、管路及び流体ポンプ（７０７）の圧送を通して、前記回転電機（７０１）の内部の気流と一緒の循環気流を構成し、前記２次側流体流路（７０４）は、管路（７０５）及び流体ポンプ（７０６）を通して、前記自然蓄熱体（１０８）の中に設置する放熱器（７０９）を流れる冷却流体（７１１）をポンピングし、循環流体を構成することによって、熱エネルギーを伝送し、
　
熱交換器（７０３）における前記１次側流体流路（７０２）及び前記２次側流体流路（７０４）は、それぞれの流路入口と流路出口とを結ぶ基本流れ方向に対し交差する方向に繰り返し往復するように形成されており、前記１次側流体流路（７０２）と前記２次側流体流路（７０４）とは、基本流れ方向が互いに平行であり、且つ、繰り返し往復する範囲が基本流れ方向の同じ位置に設けられており、
　前記放熱器（７０９）は熱伝導性材料によって構成され、流れる前記冷却流体（７１１）を放熱させる容器構造であり、土地または池、湖、河川によって構成される前記自然蓄熱体（１０８）に設置され、
　前記流体ポンプ（７０６、７０７）は機械力または電気モータによって駆動される流体ポンプで構成されることを特徴とする電機。」
と補正された。 
　上記補正は、請求項５に記載された発明を特定するために必要な事項である「熱交換器（７０３）」について、「前記１次側流体流路（７０２）及び前記２次側流体流路（７０４）は、それぞれの流路入口と流路出口とを結ぶ基本流れ方向に対し交差する方向に繰り返し往復するように形成されており、前記１次側流体流路（７０２）と前記２次側流体流路（７０４）とは、基本流れ方向が互いに平行であり、且つ、繰り返し往復する範囲が基本流れ方向の同じ位置に設けられ」ている旨の限定を付加するものである。 
　よって、本件補正は、特許法第１７条の２第５項第２号に掲げる特許請求の範囲の減縮を目的とするものに該当する。 
　
　そこで、本件補正後の上記請求項５に記載された発明（以下、「本願補正発明」という。）が特許出願の際独立して特許を受けることができるものであるか（特許法第１７条の２第６項において準用する同法第１２６条第７項に規定する要件を満たすか）否かについて以下に検討する。
　なお、請求項５において、１９行目に「前記自然蓄熱体（１０８）」とあるものの、かかる記載より前には「自然蓄積体（１０８）」の記載はないが、 当該請求項５の記載全体からみて、この「前記自然蓄熱体（１０８）」は「温度保持体」を意味するものと解釈する。
 　 
（２）引用例 
　原査定の拒絶の理由に引用された特開２００７−３２７７３８号公報（以下、「引用例」という。）には、「設備装置に自然温度蓄積体を使用し、温度均衡を行うシステム」について、図面とともに以下の各記載がある（なお、下線は当審で付与した。）。 
　ア．「【０００３】
  
本発明の主要な目的は、設備装置に自然温度蓄積体を使用し、温度均衡を行うシステムを提供するものである。それは、自然にある相対的に安定な温度エネルギーを蓄積する地層、地表、池、川
等の固体又は液体を呈する自然温度蓄積体に熱伝導が良い均熱装置を設けることで、その中に流れる温度差のある流体に温度均衡調整機能を行うことができる
　イ．「【０００６】
  図１は、本発明の一実施例による設備装置に自然温度蓄積体を使用し、温度均衡を行うシステムの模式図である。このシステムは、少なくとも一つの流体伝送パイプ１０５を設けて、ポンプ１０６の作動によって、流体が設備装置１０３に流れてから、流体伝送パイプ１０５を通して、自然温度蓄積体１０１に設けられる均熱装置１０２に回流することで、流体の循環が構成されるのである。そのシステムの主要な構成は、下記の通りである。
【０００７】
  
自然温度蓄積体１０１は、相対的に安定な温度蓄積容量がより大きい地層、地表、池、川
等の固体又は液体を呈する自然温度蓄積体で構成される
  
均熱装置１０２は、良い熱伝導性の材料で構成され
均熱装置１０２自体が流体入口、流体出口及び内部流体の通路を持つ
【０００８】
  
設備装置１０３は
発電機等の冷却が必要な回転電機設備装置で構成され
【０００９】
  
設備装置１０３自体の内部に流体１０４が流れるパイプ、及び設備装置１０３に温度均衡を行うために必要な対象構造を置く位置の流体１０４との間に温度均衡調整機能を行うための構造を設け、又は、直接流体が流れるパイプを利用して温度均衡を行うために必要な対象物を置く位置に流れて、直接に温度均衡調整機能を行う
  
又、必要によって流体分流パイプ１１９、分流制御弁１２０、分流補助ポンプ１２１等の装置を設ける
　 
　ウ．「【００１４】
  
図２は、本実施例が単方向流動の流体を利用して、間接に温度均衡を行うシステムの模式図である。それは、増設された中継均熱器２０２を利用して、間接に温度エネルギーを伝送することで、単方向流動で間接に温度均衡を行う調整システムが構成される。それは、図１で示されるそれぞれの装置（例えば、自然温度蓄積体１０１、均熱装置１０２、設備装置１０３、流体１０４、流体伝送パイプ１０５、ポンプ１０６、温度検知装置１０７、ろ過装置１０８、制御ユニット１１０、補助温度調整装置１０９、流体分流パイプ１１９、分流制御弁１２０及び分流補助ポンプ１２１）を備える
【００１５】
  
自然温度蓄積体１０１の中に熱伝導性が良い均熱装置１０２を設ける
  
中継均熱器２０２は
中継均熱器２０２自体が流体１０４の入口、流れ通路及び出口の第一流体通路を持ち、又、流体２０４の入口、流れ通路及び出口の第二流体通路を持つことで、流体１０４及び流体２０４が中継均熱器２０２により相互に温度エネルギーを伝送することができる
【００１６】
  
均熱装置１０２と中継均熱器２０２の間に流体伝送パイプ２０５及び中継ポンプ２０６を設け
均熱装置１０２と中継均熱器２０２の間で流体２０４を循環させて伝送し、封鎖環状流路が形成されることで、均熱装置１０２と中継均熱器２０２の間で温度均衡機能が構成される
  
設備装置１０３と中継均熱器２０２の間に流体伝送パイプ１０５及びポンプ１０６を設けることで
設備装置１０３と中継均熱器２０２の間で流体１０４を伝送させ、温度均衡機能を行う
【００１７】
  流体伝送パイプ１０５は、流体１０４が流れるためのパイプ構造で構成され、流体伝送パイプ１０５は必要によって開く構造又は引き出す構造を設けることができるので、メンテナンス作業を便利に行える。
  
流体１０４は、熱の蓄積及び熱伝導性が良い気体
で構成される
【００１８】
  流体伝送パイプ２０５は、流体２０４が流れるためのパイプ構造で構成され、流体伝送パイプ２０５は必要によって開く構造又は引き出す構造を設けることができるので、メンテナンス作業を便利に行える。
  流体２０４は、熱の蓄積及び熱伝導性が良い気体又は液体で構成されるので、ポンプ２０６の作動により均熱装置１０２と中継均熱器２０２の間で流体２０４が流体伝送パイプ２０５に流れて、流路を構成することで、温度均衡機能を行うものであり、流体２０４は必要によって流体１０４と同一のもの又は同一ではないものを選ぶことができる。
【００１９】
  
ポンプ１０６は、電力又は機械力で駆動する流体ポンプで構成される
  
ポンプ２０６は、電力又は機械力で駆動する流体ポンプで構成される
　
　エ．「【００４６】
  図１及び図３で示されるシステムは、直接熱伝導が良い従来の熱パイプ装置を使って、均熱装置１０２と設備装置１０３の間に設けて、流体伝送パイプ１０５の代わりとして使われ、又は、必要により設けられる流体分流パイプ１１９の代わりとして使うことで、温度均衡を行う機能を構成することを使っても良いのである。
  
図２で示されるシステムの均熱装置１０２と中継均熱器２０２の間に用いる均熱運転方式は、均熱装置１０２と中継均熱器２０２の間に少なくとも一つの流体２０４が流れるための流体伝送パイプ２０５及び少なくとも一つの中継ポンプ２０６を設けることで、封鎖回路を形成し、中継ポンプ２０６で熱伝導が良い流体２０４を伝送することで、単方向で連続又は間歇的に伝送を行い、又は、ポンプの作動により伝送する流量を調整することで、均熱装置１０２と中継均熱器２０２の間に温度均衡を行う機能が構成される方式である
【００４７】
  
図２で示されるシステムの中継均熱器２０２と設備装置１０３の間に用いる均熱運転方式は、中継均熱器２０２と設備装置１０３の間に少なくとも一つの流体伝送パイプ１０５及び少なくとも一つのポンプ１０６を設けることで、封鎖回路を形成し、ポンプ１０６で熱伝導が良い流体１０４を伝送することで、単方向で連続又は間歇的に伝送を行い、又は、ポンプの作動により伝送する流量を調整することで、中継均熱器２０２と設備装置１０３の間に温度均衡を行う機能が構成される方式である
　　 
　・上記引用例に記載の「設備装置に自然温度蓄積体を使用し、温度均衡を行うシステム」は、上記「ア．」の記載事項、図２によれば、自然にある相対的に安定な温度エネルギーを蓄積する地層、地表、池、川等の固体又は液体を呈する自然温度蓄積体１０１中に熱伝導が良い均熱装置１０２を設けることで、その中に流れる温度差のある流体に温度均衡調整機能を行うことができるようにしたものであり、
　さらに、上記「ウ．」の記載事項、及び図２によれば、当該システムは、増設された中継均熱器２０２を利用して、間接に温度エネルギーを伝送することで、単方向流動で間接に温度均衡を行うシステムを含むものである。
　・上記「ウ．」の段落【００１５】の記載事項、及び図２によれば、中継均熱器２０２は、設備装置１０３とは分離して設けられ、流体１０４の入口、流れ通路及び出口の第一流体通路と、流体２０４の入口、流れ通路及び出口の第二流体通路を持つ。
　さらに、図２によれば、中継均熱器２０２の第一流体通路を流れる流体１０４の基本流れ方向は下から上であり、自然温度蓄積体１０１の表面に対して垂直方向であるといえ、また、第二流体通路を流れる流体２０４の基本流れ方向は上から下であり、自然温度蓄積体１０１の表面に対して垂直方向であるといえる。そして、それぞれの基本流れ方向に対して交差する方向に繰り返し往復する流路がそれぞれ形成されており、且つ、それぞれの繰り返し往復する流路の範囲が基本流れ方向の異なる位置に重ねて設けられてなるものであるということができる。
　・上記「イ．」の段落【０００７】の記載事項によれば、均熱装置１０２は、それ自体が流体入口、流体出口及び内部流体の通路を持つものである。
　・上記「イ．」の段落【０００８】の記載事項によれば、設備装置１０３は、例えば発電機等の冷却が必要な回転電機設備装置で構成されてなるものである。
　・上記「ウ．」、「エ．」の記載事項、及び図２によれば、 設備装置１０３と中継均熱器２０２の間に流体伝送パイプ１０５及び電力又は機械力で駆動する流体ポンプ１０６を設けることで、封鎖環状流路を形成し、設備装置１０３と中継均熱器２０２の間で流体１０４を循環させて伝送することで、設備装置１０３と中継均熱器２０２の間に温度均衡機能が構成されてなるものである。なお、上記「イ．」の段落【０００９】の記載事項、及び図２によれば、設備装置１０３の内部には流体１０４が流れるパイプが設けられているといえる。
　また、均熱装置１０２と中継均熱器２０２の間に流体伝送パイプ２０５及び電力又は機械力で駆動する流体ポンプ２０６を設けることで、封鎖環状流路を形成し、均熱装置１０２と中継均熱器２０２の間で流体２０４を循環させて伝送することで、均熱装置１０２と中継均熱器２０２の間に温度均衡機能が構成されてなるものである。
　・上記「ウ．」の段落【００１７】の記載事項によれば、流体１０４は、例えば熱の蓄積及び熱伝導性が良い気体で構成される。
　
　したがって、特に図２に示されるシステムにおける設備装置が、発電機等の冷却が必要な回転電機設備装置である場合に着目し、上記記載事項及び図面を総合勘案すると、引用例には、次の発明（以下、「引用発明」という。）が記載されている。 
「中継均熱器を利用して、間接に温度エネルギーを伝送するとともに、自然にある相対的に安定な温度エネルギーを蓄積する地層、地表、池、川等の固体又は液体を呈する自然温度蓄積体中に熱伝導が良い均熱装置を設けることで、その中に流れる温度差のある流体に温度均衡調整機能を行うようにしたシステムにおける、発電機等の冷却が必要な回転電機設備装置であって、
　前記中継均熱器は、前記回転電機設備装置とは分離して設けられ、流体１０４の入口、流れ通路及び出口の第一流体通路と、流体２０４の入口、流れ通路及び出口の第二流体通路を持ち、
　前記回転電機設備装置と前記中継均熱器の間に流体伝送パイプ１０５及び電力又は機械力で駆動する流体ポンプ１０６を設け、前記回転電機設備装置の内部にも流体が流れるパイプを設けることで封鎖環状流路を形成し、前記回転電機設備装置と前記中継均熱器の間で前記流体１０４を循環させて伝送することで、前記回転電機設備装置と前記中継均熱器の間に温度均衡機能が構成されるとともに、前記均熱装置と前記中継均熱器の間に流体伝送パイプ２０５及び電力又は機械力で駆動する流体ポンプ２０６を設けることで、封鎖環状流路を形成し、前記均熱装置と前記中継均熱器の間で前記流体２０４を循環させて伝送することで、前記均熱装置と前記中継均熱器の間に温度均衡機能が構成され、
　前記流体１０４は、例えば熱の蓄積及び熱伝導性が良い気体であり、
　前記中継均熱器の前記第一流体通路を流れる前記流体１０４の基本流れ方向は前記自然温度蓄積体の表面に対して垂直方向であり、また、前記第二流体通路を流れる前記流体２０４の基本流れ方向も前記自然温度蓄積体の表面に対して垂直方向であり、そして、それぞれの基本流れ方向に対して交差する方向に繰り返し往復する流路がそれぞれ形成されており、且つ、それぞれの繰り返し往復する流路の範囲が基本流れ方向の異なる位置に重ねて設けられ、
　前記均熱装置は、それ自体が流体入口、流体出口及び内部流体の通路を持つ、回転電機設備装置。」 
　 
（３）対比 
　そこで、本願補正発明と引用発明とを対比すると、 
　ア．引用発明における「中継均熱器を利用して、間接に温度エネルギーを伝送するとともに、自然にある相対的に安定な温度エネルギーを蓄積する地層、地表、池、川等の固体又は液体を呈する自然温度蓄積体中に熱伝導が良い均熱装置を設けることで、その中に流れる温度差のある流体に温度均衡調整機能を行うようにしたシステムにおける、発電機等の冷却が必要な回転電機設備装置であって、前記中継均熱器は、前記回転電機設備装置とは分離して設けられ、流体１０４の入口、流れ通路及び出口の第一流体通路と、流体２０４の入口、流れ通路及び出口の第二流体通路を持ち」によれば、
 (a)引用発明における「自然温度蓄積体」、「均熱装置」、「中継均熱器」は、それぞれ本願補正発明でいう「温度保持体」、「均熱器」、「熱交換装置」に相当し、
　さらに、引用発明の中継均熱器における「第一流体通路」、「第二流体通路」が、それぞれ本願補正発明でいう「１次側流体流路」、「２次側流体流路」に相当するとともに、引用発明における「流体１０４」、「流体２０４」が、それぞれ本願補正発明でいう「１次側流体」、「２次側流体」に相当し、
　引用発明における、発電機等の冷却が必要な「回転電機設備装置」が、本願補正発明でいう「電機」あるいは「回転電機（７０１）」に相当する。
 (b)そして、引用発明においても、回転電機設備装置で生成された温度エネルギー、すなわち熱エネルギーを、順に流体１０４、中継均熱器、流体２０４、均熱装置を介して自然温度蓄積体に放熱するようにしたものであるといえることから、
　本願補正発明と引用発明とは、「地表浅層部または池、河川からなる浅層の温度保持体との間に、１次側流体流路及び２次側流体流路を備える熱交換装置を設置し、生成する熱エネルギーを熱交換装置の１次側流体を経て伝送し、且つ熱交換装置の２次側流体が浅層の温度保持体の中に設置される均熱器へ流れ、浅層の温度保持体に対して熱エネルギーを放出することにより、浅層の温度保持体と交換流体を通して放熱する電機」である点で一致する。
　(c)また、引用発明における「回転電機設備装置」にあっても、例えば発電機であり、磁界巻線、鉄芯、ロータ及びマシンシェルを備えることは自明なことである。
　そして、引用発明における「中継均熱器」にあっても、回転電機設備装置とは分離して設けられていることから、
　本願補正発明と引用発明とは、「熱交換装置は回転電機のボディシェルと分離して設置され、当該電機が生成する熱エネルギーは、熱交換装置の２次側流体を通して、浅層の温度保持体に設置される均熱器へ流れ、浅層の温度保持体に対して放熱」するものである点、及び「回転電機は磁界巻線、鉄芯、ロータ及びマシンシェルの回転電機を備え、発電機によって構成される装置を含」むものである点で一致するということができる。
　
　イ．引用発明における「前記回転電機設備装置と前記中継均熱器の間に流体伝送パイプ１０５及び電力又は機械力で駆動する流体ポンプ１０６を設け、前記回転電機設備装置の内部にも流体が流れるパイプを設けることで封鎖環状流路を形成し、前記回転電機設備装置と前記中継均熱器の間で前記流体１０４を循環させて伝送することで、前記回転電機設備装置と前記中継均熱器の間に温度均衡機能が構成されるとともに、前記均熱装置と前記中継均熱器の間に流体伝送パイプ２０５及び電力又は機械力で駆動する流体ポンプ２０６を設けることで、封鎖環状流路を形成し、前記均熱装置と前記中継均熱器の間で前記流体２０４を循環させて伝送することで、前記均熱装置と前記中継均熱器の間に温度均衡機能が構成され、前記流体１０４は、例えば熱の蓄積及び熱伝導性が良い気体であり」によれば、
 (a)引用発明における「流体伝送パイプ１０５」、「流体ポンプ１０６」、「流体伝送パイプ２０５」、「流体ポンプ２０６」は、それぞれ本願補正発明でいう「管路」、「流体ポンプ（７０７）」、「管路（７０５）」、「流体ポンプ（７０６）」に相当する。
　なお、引用発明における「中継均熱器」、「均熱装置」は、それぞれ本願補正発明でいう「熱交換器（７０３）」、「放熱器（７０９）」に相当している。
 (b)そして、引用発明の「流体ポンプ１０６」及び「流体ポンプ２０６」にあっても、回転電機設備装置の外部に設けられてなるものであるといえ（引用例の図２も参照）、電力又は機械力で駆動するものであることから、
　本願補正発明と引用発明とは、「回転電機、熱交換器、放熱器、および、前記回転電機の外部に設けられている流体ポンプ」を備える点、及び「前記流体ポンプは機械力または電気モータによって駆動される流体ポンプで構成される」点で一致するといえる。
 (c)さらに、引用発明における、回転電機設備装置と中継均熱器の間で循環、伝送される「流体１０４」は、気体であることを踏まえると、
　本願補正発明と引用発明とは、「熱交換器は１次側流体流路及び２次側流体流路を備え、かつ互いに熱エネルギーを伝送し、その中の前記１次側流体流路は、管路及び流体ポンプの圧送を通して、前記回転電機の内部を通る循環気流を構成し、前記２次側流体流路は、管路及び流体ポンプを通して、前記自然蓄熱体（温度保持体）の中に設置する放熱器を流れる冷却流体をポンピングし、循環流体を構成することによって、熱エネルギーを伝送」するものである点で共通するということができる。
　ただし、回転電機の内部を通る循環気流について、本願補正発明では、「前記回転電機の内部の気流と一緒の」循環気流を構成するものであるのに対し、引用発明では、回転電機の内部では流体が流れるパイプが設けられている点で相違しているといえる。
　ウ．引用発明における「前記中継均熱器の前記第一流体通路を流れる前記流体１０４の基本流れ方向は前記自然温度蓄積体の表面に対して垂直方向であり、また、前記第二流体通路を流れる前記流体２０４の基本流れ方向も前記自然温度蓄積体の表面に対して垂直方向であり、そして、それぞれの基本流れ方向に対して交差する方向に繰り返し往復する流路がそれぞれ形成されており、且つ、それぞれの繰り返し往復する流路の範囲が基本流れ方向の異なる位置に重ねて設けられ」によれば、
　引用発明の「中継均熱器」における第一流体通路及び第二流体通路においても、基本流れ方向はいずれも自然温度蓄積体の表面に対して垂直方向であるから、基本流れ方向が互いに平行であるといえ、また、いずれにも基本流れ方向に対して交差する方向に繰り返し往復する流路が形成されていることから、
　本願補正発明と引用発明とは、「熱交換器における前記１次側流体流路及び前記２次側流体流路は、それぞれの流路入口と流路出口とを結ぶ基本流れ方向に対し交差する方向に繰り返し往復するように形成されており、前記１次側流体流路と前記２次側流体流路とは、基本流れ方向が互いに平行」である点で共通するとみることができる。
　ただし、熱交換器における１次側流体流路及び２次側流体流路の繰り返し往復する範囲について、本願補正発明では、「基本流れ方向の同じ位置に設けられ」ている旨特定するのに対し、引用発明では、基本流れ方向の異なる位置に重ねて設けられている点で相違している。
　エ．引用発明における「・・地層、地表、池、川等の固体又は液体を呈する自然温度蓄積体中に熱伝導が良い均熱装置を設けることで、・・・・前記均熱装置は、それ自体が流体入口、流体出口及び内部流体の通路を持つ」によれば、
　引用発明における「均熱装置」にあっても、熱伝導が良いものであり、熱伝導性材料によって構成されているといえることから、
　本願補正発明と引用発明とは、「前記放熱器は熱伝導性材料によって構成され、流れる前記冷却流体を放熱させる構造であり、土地または池、河川によって構成される前記自然蓄熱体に設置され」るものである点で共通するということができる。
　ただし、放熱器について、本願補正発明では、「容器」構造である旨特定するのに対し、引用発明では、そのような明確な特定を有していない点で相違している。
　よって、本願補正発明と引用発明とは、 
「地表浅層部または池、河川からなる浅層の温度保持体との間に、１次側流体流路及び２次側流体流路を備える熱交換装置を設置し、生成する熱エネルギーを熱交換装置の１次側流体を経て伝送し、且つ熱交換装置の２次側流体が浅層の温度保持体の中に設置される均熱器へ流れ、浅層の温度保持体に対して熱エネルギーを放出することにより、浅層の温度保持体と交換流体を通して放熱する電機であって、
　熱交換装置は回転電機のボディシェルと分離して設置され、当該電機が生成する熱エネルギーは、熱交換装置の２次側流体を通して、浅層の温度保持体に設置される均熱器へ流れ、浅層の温度保持体に対して放熱し、
　回転電機、熱交換器、放熱器、および、前記回転電機の外部に設けられている流体ポンプを備え、
　回転電機は磁界巻線、鉄芯、ロータ及びマシンシェルの回転電機を備え、発電機によって構成される装置を含み、
　熱交換器は１次側流体流路及び２次側流体流路を備え、かつ互いに熱エネルギーを伝送し、その中の前記１次側流体流路は、管路及び流体ポンプの圧送を通して、前記回転電機の内部を通る循環気流を構成し、前記２次側流体流路は、管路及び流体ポンプを通して、前記自然蓄熱体（温度保持体）の中に設置する放熱器を流れる冷却流体をポンピングし、循環流体を構成することによって、熱エネルギーを伝送し、
　熱交換器における前記１次側流体流路及び前記２次側流体流路は、それぞれの流路入口と流路出口とを結ぶ基本流れ方向に対し交差する方向に繰り返し往復するように形成されており、前記１次側流体流路と前記２次側流体流路とは、基本流れ方向が互いに平行であり、　
　前記放熱器は熱伝導性材料によって構成され、流れる前記冷却流体を放熱させる構造であり、土地または池、河川によって構成される前記自然蓄熱体に設置され、
　前記流体ポンプは機械力または電気モータによって駆動される流体ポンプで構成されることを特徴とする電機。」 
である点で一致し、以下の点で相違する。 
［相違点１］　 
　回転電機の内部を通る循環気流について、本願補正発明では、「前記回転電機の内部の気流と一緒の」循環気流を構成するものであるのに対し、引用発明では、回転電機の内部では流体が流れるパイプが設けられている点。
　
［相違点２］ 
　熱交換器における１次側流体流路及び２次側流体流路の繰り返し往復する範囲について、本願補正発明では、「基本流れ方向の同じ位置に設けられ」ている旨特定するのに対し、引用発明では、基本流れ方向の異なる位置に重ねて設けられている点。
　
［相違点３］
　放熱器について、本願補正発明では、「容器」構造である旨特定するのに対し、引用発明では、そのような明確な特定を有していない点。
（４）判断 
　上記相違点について検討する。 
［相違点１］について 
　本願補正発明では、「前記回転電機の内部の気流と一緒の」循環気流を構成する、すなわち、本願の図７も参照するに、回転電機の内部では管路が設けられておらず、内部全体を流体（気流）が流れると解されるところ、例えば特開２００２−５８２０５号公報（特に段落【０００９】〜【００１０】、図９を参照）、特開２０１０−１１０２０３号公報（段落【０００９】〜【００２０】、図４〜６を参照）に見られるように、回転電機内部に管路（パイプ）を設けることなく、内部全体を循環気流が流れる構成とすることは周知の技術事項であり、引用発明においても、かかる周知の技術事項を採用し、相違点１に係る構成とすることは当業者が容易になし得ることである。
　
［相違点２］について 
　例えば特開２００９−１９８５９号公報（段落【０００４】〜【００１４】、図１を参照）、特開２００８−１１６１１２号公報（段落【００３４】〜【００３６】、図１を参照）、特表平８−５１１２０５号公報（図１に示される「熱交換器（８）」を参照）に見られるように、熱交換器における１次側流体流路及び２次側流体流路の繰り返し往復する範囲を、基本流れ方向の同じ位置に設けてなる構成とすることは周知といえる技術事項であり、引用発明において、かかる周知の技術事項を採用し、相違点２に係る構成とすることも当業者であれば容易になし得ることである。
　
［相違点３］について
　引用発明における均熱装置にあっても、それ自体が流体入口、流体出口及び内部流体の通路を持つものであることから、「容器」構造とみることもでき、かかる相違点３は実質的な相違点ではない。
　仮に、引用発明の均熱装置は、それ自体が流体入口、流体出口及び内部流体の通路を持つものの、具体的にはＵ字形のパイプ構造であり（引用例の図２を参照）、「容器」構造とみることまではできないとしても、例えば自然温度蓄積体との接触面積をより大きくしたり、自然温度蓄積体との接触時間を長くする等のために、内部流体の通路の断面積を流体入口や流体出口の断面積より大きくするなどして、「容器」構造とすることも当業者が適宜なし得ることである。
　そして、上記各相違点を総合的に判断しても本願補正発明が奏する効果は、引用発明及び周知の技術事項から当業者が十分に予測できたものであって、格別顕著なものがあるとはいえない。 
　 
（５）本件補正についてのむすび 
　以上のとおり、本願補正発明は、引用発明及び周知の技術事項に基づいて当業者が容易に発明をすることができたものであるから、特許法第２９条第２項の規定により、特許出願の際独立して特許を受けることができないものである。 
　したがって、本件補正は、特許法第１７条の２第６項において準用する同法第１２６条第７項の規定に違反するものであるから、同法第１５９条第１項で読み替えて準用する同法第５３条第１項の規定により却下すべきものである。 
　
３．本願発明について 
　平成２８年１１月１１日付けの手続補正は上記のとおり却下されたので、本願の請求項５に係る発明（以下、「本願発明」という。）は、平成２８年１月５日付け手続補正書の特許請求の範囲の請求項５に記載された、次のとおりのものである。 
「【請求項５】
　地表浅層部または湖、池、河川からなる浅層の温度保持体との間に、１次側流体流路及び２次側流体流路を備える熱交換装置を設置し、生成する熱エネルギーを熱交換装置の１次側流体を経て伝送し、且つ熱交換装置の２次側流体が浅層の温度保持体の中に設置される均熱器へ流れ、浅層の温度保持体に対して熱エネルギーを放出することにより、浅層の温度保持体と交換流体を通して放熱する電機であって、
　熱交換装置は回転電機のボディシェルと分離して設置され、当該電機が生成する熱エネルギーは、熱交換装置の２次側流体を通して、浅層の温度保持体に設置される均熱器へ流れ、浅層の温度保持体に対して放熱し、
　回転電機（７０１）、熱交換器（７０３）、放熱器（７０９）、および、前記回転電機（７０１）の外部に設けられている流体ポンプ（７０６、７０７）を備え、
　回転電機（７０１）は磁界巻線、鉄芯、ロータ及びマシンシェルの回転電機を備え、モータまたは発電機または電磁カップリング装置によって構成される装置を含み、
　熱交換器（７０３）は１次側流体流路（７０２）及び２次側流体流路（７０４）を備え、かつ互いに熱エネルギーを伝送し、その中の前記１次側流体流路（７０２）は、管路及び流体ポンプ（７０７）の圧送を通して、前記回転電機（７０１）の内部の気流と一緒の循環気流を構成し、前記２次側流体流路（７０４）は、管路（７０５）及び流体ポンプ（７０６）を通して、前記自然蓄熱体（１０８）の中に設置する放熱器（７０９）を流れる冷却流体（７１１）をポンピングし、循環流体を構成することによって、熱エネルギーを伝送し、
　前記放熱器（７０９）は熱伝導性材料によって構成され、流れる前記冷却流体（７１１）を放熱させる容器構造であり、土地または池、湖、河川によって構成される前記自然蓄熱体（１０８）に設置され、
　前記流体ポンプ（７０６、７０７）は機械力または電気モータによって駆動される流体ポンプで構成されることを特徴とする電機。」
 　 
（１）引用例 
　原査定の拒絶の理由で引用された引用例及びその記載事項は、前記「２．（２）」に記載したとおりである。 
 　 
（２）対比・判断 
　本願発明は、前記「２．」で検討した本願補正発明の発明特定事項である熱交換器（７０３）」について、「前記１次側流体流路（７０２）及び前記２次側流体流路（７０４）は、それぞれの流路入口と流路出口とを結ぶ基本流れ方向に対し交差する方向に繰り返し往復するように形成されており、前記１次側流体流路（７０２）と前記２次側流体流路（７０４）とは、基本流れ方向が互いに平行であり、且つ、繰り返し往復する範囲が基本流れ方向の同じ位置に設けられ」ている旨の限定を省いたものに相当する。 
　そうすると、本願発明の発明特定事項を全て含み、更に他の限定事項を付加したものに相当する本願補正発明が前記「２．（４）」に記載したとおり、引用発明及び周知の技術事項に基づいて当業者が容易に発明をすることができたものであるから、本願発明も、同様の理由により、引用発明及び周知の技術事項に基づいて当業者が容易に発明をすることができたものである。 　 
（３）むすび 
　以上のとおり、本願の請求項５に係る発明は、特許法第２９条第２項の規定により特許を受けることができないものであるから、その余の請求項について論及するまでもなく、本願は拒絶すべきものである。 
　よって、結論のとおり審決する。